(57)【要約】【課題】複数のサーバラック内のブレード型コンピュータの搭載位置を管理し、保守管理者によるブレード型コンピュータの搭載位置の保守管理工数を低減させることのできるブレード型コンピュータ管理システムを提供する。【解決手段】ブレード型コンピュータ管理システムにおいて、１または複数のブレード型コンピュータ１を有するシャーシ２と、１または複数のシャーシ２を有するサーバラック３と、ブレード型コンピュータ１が接続されるネットワークに接続され、ブレード型コンピュータ１を管理する管理コンピュータを備え、管理コンピュータ４は、ブレード型コンピュータ１から通知されたブレード搭載位置情報に基づいて、ブレード型コンピュータ１の位置情報を管理する。【選択図】図１
2008015803.tif 000002
【特許請求の範囲】
【請求項１】
１または複数のブレード型コンピュータを有するシャーシと、１または複数の前記シャーシを有するサーバラックと、前記ブレード型コンピュータが接続されるネットワークに接続され前記ブレード型コンピュータを管理する管理コンピュータを備え、
前記管理コンピュータは、前記ブレード型コンピュータから通知された前記ブレード型コンピュータのブレード搭載位置情報に基づいて、ブレード型コンピュータの位置情報を管理することを特徴とするブレード型コンピュータ管理システム。
【請求項２】
請求項１記載のブレード型コンピュータ管理システムにおいて、
前記ブレード型コンピュータは、前記ブレード搭載位置情報を記録する搭載位置記録手段と、前記搭載位置記録手段により記録された前記ブレード搭載位置情報を保持するブレード搭載位置情報保持手段と、前記管理コンピュータとの通信を行う搭載位置通信手段を有することを特徴とするブレード型コンピュータ管理システム。
【請求項３】
請求項２記載のブレード型コンピュータ管理システムにおいて、
前記ブレード型コンピュータのブレード搭載位置情報保持手段および搭載位置通信手段は、前記ブレード型コンピュータの障害時には、予備電源から電源が供給され、前記予備電源から電源の供給により、前記搭載位置通信手段は前記管理コンピュータとの通信を行うことを特徴とするブレード型コンピュータ管理システム。
【請求項４】
請求項２記載のブレード型コンピュータ管理システムにおいて、
前記ブレード型コンピュータは、外部との通信を制御する通信コントローラを有し、
前記搭載位置通信手段は、前記通信コントローラを介して、前記管理コンピュータとの通信を行うことを特徴とするブレード型コンピュータ管理システム。
【請求項５】
請求項４記載のブレード型コンピュータ管理システムにおいて、
前記通信コントローラは、前記ブレード型コンピュータの通常動作時は、前記ブレード型コンピュータ内でのオペレーティングシステムによる通常の通信を行い、前記ブレード型コンピュータの異常時、または前記管理コンピュータからの問い合わせ時には、前記搭載位置通信手段との通信を行うことを特徴とするブレード型コンピュータ管理システム。
【請求項６】
請求項５記載のブレード型コンピュータ管理システムにおいて、
前記ブレード型コンピュータのブレード搭載位置情報保持手段、搭載位置通信手段、および前記通信コントローラは、前記ブレード型コンピュータの障害時には、予備電源から電源が供給され、前記予備電源から電源の供給により、前記搭載位置通信手段および前記通信コントローラは、前記管理コンピュータとの通信を行うことを特徴とするブレード型コンピュータ管理システム。
【請求項７】
請求項２記載のブレード型コンピュータ管理システムにおいて、
前記搭載位置記録手段、前記ブレード搭載位置情報保持手段、および搭載位置通信手段は、１つの制御チップで構成されることを特徴とするブレード型コンピュータ管理システム。
【請求項８】
請求項１記載のブレード型コンピュータ管理システムにおいて、
前記シャーシは、前記シャーシのシャーシ搭載位置情報を保持するシャーシ搭載位置情報保持手段と、前記シャーシ内の前記ブレード型コンピュータの搭載位置を判断するブレード型コンピュータ搭載位置判断手段と、前記ブレード型コンピュータが前記シャーシ内に設置された際、前記シャーシ内の前記ブレード型コンピュータにブレード搭載位置を通知する搭載位置通知手段とを有することを特徴とするブレード型コンピュータ管理システム。
【請求項９】
請求項８記載のブレード型コンピュータ管理システムにおいて、
前記シャーシは、前記サーバラック内に前記シャーシが設置された際、前記シャーシ搭載位置情報を入力するシャーシ搭載位置情報入力手段を有することを特徴とするブレード型コンピュータ管理システム。
【請求項１０】
請求項１記載のブレード型コンピュータ管理システムにおいて、
前記管理コンピュータは、前記ブレード型コンピュータと前記ネットワークを介して通信し、前記ブレード型コンピュータからのブレード搭載位置情報を受信する搭載位置通信手段を有することを特徴とするブレード型コンピュータ管理システム。
【発明の詳細な説明】
【技術分野】
【０００１】
本発明は、ブレード型コンピュータ管理システムに関し、特に、ブレード型コンピュータの搭載位置の確認に適用して有効な技術に関する。
【背景技術】
【０００２】
ブレード型コンピュータは、ユーザがマウス操作やキー入力等のコンソール入力を行うユーザ端末とネットワークを介して接続され、ユーザ端末からのコンソール入力を自身の入力とし、画面情報をユーザ端末に送信する。これにより、ユーザがブレード型コンピュータを操作することを可能にする。ユーザはブレード型コンピュータを占有するため、ブレード型コンピュータの数は、同時に使用するユーザ数と同等となる。
【０００３】
また、類似技術にブレードサーバがある。ブレードサーバは、１台のサーバを複数のユーザで共有するため、ブレードサーバの数は、同時に使用するユーザ数よりも少ない。この点が、ブレードサーバとブレード型コンピュータの違いである。
【０００４】
ブレードサーバのサーバラック内の搭載位置を管理サーバで管理するシステムは、例えば、特開２００５−３３９５２８号公報（特許文献１）に記載のように、既に存在する。
【特許文献１】特開２００５−３３９５２８号公報
【発明の開示】
【発明が解決しようとする課題】
【０００５】
ブレード型コンピュータは、同時に使用するユーザ数のブレード型コンピュータを設置するため、多数のブレード型コンピュータを集中して管理しなければならず、さらに、多数のブレード型コンピュータを設置するためには、複数のサーバラックなどを使用しなければならず、保守管理者による保守管理工数が増大するという問題があった。
【０００６】
また、特許文献１に記載のようなブレードサーバでは、ブレードサーバの数は、同時に使用するユーザ数よりも少なく、１つのサーバラック内に格納されるため、ブレードサーバのサーバラック内の搭載位置の管理も１つのサーバラック内での管理しか行っておらず、複数のサーバラック内のブレードサーバの搭載位置を管理することはできないという問題があった。
【０００７】
そこで、本発明の目的は、複数のサーバラック内のブレード型コンピュータの搭載位置を管理し、保守管理者によるブレード型コンピュータの搭載位置の保守管理工数を低減させることのできるブレード型コンピュータ管理システムを提供することにある。
【課題を解決するための手段】
【０００８】
本願において開示される発明のうち、代表的なものの概要を簡単に説明すれば、次のとおりである。
【０００９】
本発明によるブレード型コンピュータ管理システムは、１または複数のブレード型コンピュータを有するシャーシと、１または複数のシャーシを有するサーバラックと、ブレード型コンピュータが接続されるネットワークに接続され、ブレード型コンピュータを管理する管理コンピュータを備え、管理コンピュータは、ブレード型コンピュータから通知されたブレード型コンピュータのブレード搭載位置情報に基づいて、ブレード型コンピュータの位置情報を管理するものである。
【発明の効果】
【００１０】
本願において開示される発明のうち、代表的なものによって得られる効果を簡単に説明すれば以下のとおりである。
【００１１】
本発明によれば、複数のサーバラック内のブレード型コンピュータの搭載位置が管理可能となるため、ブレード型コンピュータの搭載位置を管理する手間が不要になるという利点がある。また、ブレード型コンピュータの障害発生時に、ブレード型コンピュータの搭載位置特定に時間を要さないため、保守時間を短縮できるという利点がある。
【発明を実施するための最良の形態】
【００１２】
以下、本発明の実施の形態を図面に基づいて詳細に説明する。なお、実施の形態を説明するための全図において、同一の部材には原則として同一の符号を付し、その繰り返しの説明は省略する。
【００１３】
＜ブレード型コンピュータ管理システムの構成＞
図１〜図３により、本発明の一実施の形態に係るブレード型コンピュータ管理システムの構成について説明する。図１は本発明の一実施の形態に係るブレード型コンピュータ管理システムの構成を示す構成図、図２は本発明の一実施の形態に係るブレード型コンピュータ管理システムのシャーシ搭載位置情報の一例を示す図、図３は本発明の一実施の形態に係るブレード型コンピュータ管理システムのブレード搭載位置情報の一例を示す図である。
【００１４】
図１において、ブレード型コンピュータ管理システムは、複数のスロットを有し、１または複数のスロットにブレード型コンピュータ（以下、ブレードと略す）１を搭載するシャーシ２と、１または複数のシャーシ２を搭載可能なサーバラック３と、各ブレード１とネットワークを介して接続される管理コンピュータ４により構成される。
【００１５】
ブレード１は、独立して動作可能なコンピュータであり、ＣＰＵ、メモリ、記憶装置、外部入出力装置等のコンピュータとしての基本機能を備えている。
【００１６】
また、ブレード１は、ブレード１をシャーシ２に搭載時にシャーシ２から通知される搭載位置情報を記録する搭載位置記録手段１１と、搭載位置記録手段１１によって記録されるブレード搭載位置情報を保持するブレード搭載位置情報保持手段１２と、管理コンピュータ４からの搭載位置問い合わせに対して応答するための搭載位置通信手段１３を有し、搭載位置通信手段１３は通信コントローラ５を介して管理コンピュータ４と通信する。
【００１７】
通信コントローラ５は、通常の状態では、ブレード１内の記憶装置のオペレーティングシステム（ＯＳ）などによる通信を行い、ブレード１の保守や障害時などには、搭載位置通信手段１３との通信を行うように切り替えを行うようになっている。
【００１８】
なお、通信コントローラ５により、搭載位置通信手段１３と管理コンピュータとの通信を行うのではなく、搭載位置通信手段１３により管理コンピュータ４との通信を行うようにしてもよい。
【００１９】
また、通信コントローラ５、搭載位置通信手段１３は、ブレード１の障害時などで、通常の電源が供給されていなくても、予備電源などにより電源が供給され、管理コンピュータ４との通信が可能となっている。
【００２０】
また、搭載位置記録手段１１、ブレード搭載位置情報保持手段１２、搭載位置通信手段１３を１つの制御チップなどにより構成し、この制御チップにより、通信コントローラ５とシャーシ２との通信を行うようにしてもよい。
【００２１】
シャーシ２は、初期設定時に搭載位置を入力するためのシャーシ搭載位置情報入力手段２４と、シャーシ搭載位置情報入力手段２４によって入力されたシャーシ搭載位置情報を保持するシャーシ搭載位置情報保持手段２１と、ブレード１の搭載時に、ブレード１が搭載されたスロットを判断するブレード搭載位置判断手段２２と、搭載されたブレード１にブレード搭載位置を通知するブレード搭載位置通知手段２３を有する。
【００２２】
ブレード搭載位置通知手段２３により通知される情報は、シャーシ搭載位置情報保持手段２１に格納されたシャーシ搭載位置情報とブレード搭載位置判断手段２２により判断されたブレード１が搭載されたスロット位置である。
【００２３】
管理コンピュータ４は、ネットワークを介して接続されたブレード１に対して搭載位置情報を問い合わせ、ブレード１からの搭載位置情報を受信する搭載位置通信手段４１を有する。
【００２４】
シャーシ２のシャーシ搭載位置情報保持手段２１に格納されたシャーシ搭載位置情報は、図２に示すように、ラック位置情報とシャーシ位置情報を含み、シャーシ２の設置時に、シャーシ搭載位置情報入力手段２４により入力される。
【００２５】
ブレード１のブレード搭載位置情報保持手段１２に格納されるブレード搭載位置情報は、図３に示すように、ラック位置情報とシャーシ位置情報とブレード位置情報を含む。また、ブレード搭載位置情報保持手段１２に保持されるブレード搭載位置情報は、ブレード１がシャーシ２に搭載されるときに、シャーシ２のブレード搭載位置通知手段２３により通知される情報が、ブレード１の搭載位置記録手段１１により記録される。
【００２６】
＜ブレード型コンピュータ管理システムの動作＞
次に、図４により、本発明の一実施の形態に係るブレード型コンピュータ管理システムの動作について説明する。図４は本発明の一実施の形態に係るブレード型コンピュータ管理システムの動作を示す図であり、ブレード１とシャーシ２と管理コンピュータ４の間の動作フローを示している。
【００２７】
まず、シャーシ２は、設置時にシャーシ搭載位置情報入力手段２４により、シャーシ搭載位置情報保持手段２１にシャーシ搭載位置情報を入力する。
【００２８】
そして、ブレード１がシャーシ２に搭載されるとブレード搭載位置判断手段２２は、これを検出し、ブレード搭載位置を判断する（ステップ１０１）。
【００２９】
ブレード搭載位置通知手段２３は、ブレード搭載位置と、シャーシ搭載位置情報保持手段２１に保持されたシャーシ搭載位置情報をブレード１に通知する（ステップ１０２）。
【００３０】
ブレード１は、搭載位置記録手段１１によりブレード搭載位置情報を記録し、ブレード搭載位置情報保持手段１２に保持する。
【００３１】
管理コンピュータ４を使用する管理者は、搭載位置を調べたいブレード１のＩＰアドレスなどを入力し、搭載位置通信手段４１により、問い合わせる（ステップ１０３）。ブレード１の搭載位置通信手段１３は、ブレード搭載位置情報保持手段１２に保持されたブレード搭載位置情報を、通信コントローラ５を介して管理コンピュータ４へ送信する（ステップ１０４）。
【００３２】
これにより、管理コンピュータ４を使用する管理者は、ブレード１の搭載位置を知ることができる。
【００３３】
管理者が入力する情報は、ブレード１をネットワーク内で一意に特定できる情報であればよい。例えば、ＩＰアドレス、マックアドレス、コンピュータ名である。また、管理コンピュータ４が定期的に、管理対象のすべてのブレード１に対して問い合わせを行い、最新の情報を常に管理コンピュータ４内に保存してもよい。
【００３４】
以上のように、本実施の形態では、サーバラック３内へのシャーシ２の設置時に、シャーシ搭載位置情報入力手段２４により、シャーシ２内にシャーシ搭載位置情報保持手段２１にシャーシ搭載位置情報を設定し、ブレード１がシャーシ２に搭載され際に、シャーシ２側で判断されたブレード搭載位置の情報と、シャーシ搭載位置情報保持手段２１に保持されたシャーシ搭載位置情報をブレード１側に通知することにより、ブレード１側でブレード搭載位置を把握することができ、管理コンピュータ４は、ブレード１に問い合わせをすることにより、ブレード１の搭載位置を知ることができ、保守管理を容易に行うことが可能である。
【００３５】
また、ブレード１では、通信コントローラ５、搭載位置通信手段１３は、障害時などでも予備電源などにより、電源が供給されるようになっているため、ブレード１が障害時でも、管理コンピュータ４にブレード搭載位置情報を通知することが可能である。
【００３６】
また、管理コンピュータ４は、サーバラック３やシャーシ２との通信は行わず、複数のブレード１が通常の通信で使用しているネットワークを使用して各ブレード１との通信を行うので、サーバラック３やシャーシ２に特別の通信手段などをも設けることなく、ブレード１のブレード搭載位置を知ることが可能である。
【００３７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００３８】
本発明は、ブレード型コンピュータ管理システムに関し、ブレード型コンピュータの搭載位置の確認し、保守管理を行うシステムに適用可能である。
【図面の簡単な説明】
【００３９】
【図１】本発明の一実施の形態に係るブレード型コンピュータ管理システムの構成を示す構成図である。
【図２】本発明の一実施の形態に係るブレード型コンピュータ管理システムのシャーシ搭載位置情報の一例を示す図である。
【図３】本発明の一実施の形態に係るブレード型コンピュータ管理システムのブレード搭載位置情報の一例を示す図である。
【図４】本発明の一実施の形態に係るブレード型コンピュータ管理システムの動作を示す図である。
【符号の説明】
【００４０】
１…ブレード型コンピュータ、２…シャーシ、３…サーバラック、４…管理コンピュータ、５…通信コントローラ、１１…搭載位置記録手段、１２…ブレード搭載位置情報保持手段、１３…搭載位置通信手段、２１…シャーシ搭載位置情報保持手段、２２…ブレード搭載位置判断手段、２３…ブレード搭載位置通知手段、２４…シャーシ搭載位置情報入力手段、４１…搭載位置通信手段。
【図１】
2008015803.tif 000003
【図２】
2008015803.tif 000004
【図３】
2008015803.tif 000005
【図４】
2008015803.tif 000006